(57)【要約】【課題】  アダプタに装着された機器に対応して、制御内容を設定することができるアダプタを提供する。【解決手段】  機器２０の電源プラグ２０１に機器情報を含む識別タグ７０を取り付け、アダプタ１０がその識別タグより機器情報を取得する。さらに、アダプタ１０が制御を実行する機器２０とその機器２０に対して実行可能な制御内容を保持することにより、アダプタ１０が、取得した機器２０の識別情報と保持した機器情報とを用いて、ユーザ等から指示された制御内容が実行可能か判断し、実行が許可される制御のみを実行する。【選択図】      図１
2006074283.tif 000002
【特許請求の範囲】
【請求項１】
コンセントを具備し、外部電源に接続されることにより、前記コンセントに装着された電源プラグを介して、接続された機器に電力を供給するアダプタであって、
前記機器への電力供給に対する制御指示を受信する受信手段と、
前記コンセントに電源プラグが装着されたとき、前記機器に関する機器情報を取得する情報取得手段と、
前記情報取得手段が取得した機器情報に基づいて、前記受信手段が受信した制御指示が示す制御内容が可能かを判定する判定部と、
前記判定部の結果に基づいて、外部電源から供給される電力入力を制御する電力入力制御部を
有することを特徴とするアダプタ。
【請求項２】
請求項１に記載のアダプタであって、
前記情報取得手段は、前記電源プラグに装着された識別タグから前記機器に関する機器情報を取得する、
ことを特徴とするアダプタ。
【請求項３】
請求項１あるいは請求項２に記載のアダプタであって、
前記機器情報は前記機器に対して実行可能な制御内容を示す情報を含み、
前記電力入力制御部は、前記判定部によって、前記制御指示が示す制御内容が、前記機器情報が示す制御内容に含まれると判定されたとき、前記制御内容にしたがって外部電源から供給される電力を制御する、
ことを特徴とするアダプタ。
【請求項４】
請求項３に記載のアダプタであって、
前記制御指示が示す制御内容は、前記機器への電源オンを示す情報であり、
前記電力入力制御部は、前記判定部によって、前記制御指示が示す制御内容が、前記機器情報が示す制御内容に含まれると判定されたとき、外部電源から供給される電力を前記機器に供給するよう制御する、
ことを特徴とするアダプタ。
【請求項５】
請求項１あるいは請求項２に記載のアダプタであって、
前記電力入力制御部は、前記判定部によって、前記制御指示が示す制御内容が、前記機器情報が示す制御内容に含まれないと判定されたとき、前記制御内容にしたがって外部電源から供給される電力を制御することを行わない、
ことを特徴とするアダプタ。
【請求項６】
請求項５に記載のアダプタであって、
さらに情報を送信する送信手段を有し、
前記送信手段は、前記判定部によって、前記制御指示が示す制御内容が、前記機器情報が示す制御内容に含まれないと判定されたとき、前記制御指示が示す制御が実行不可であることを示す情報を送信する、
ことを特徴とするアダプタ。
【請求項７】
請求項１あるいは請求項２に記載のアダプタであって、
前記機器情報は前記機器に対して実行を禁止する制御内容を示す情報を含み、
前記電力入力制御部は、前記判定部によって、前記制御指示が示す制御内容が、前記機器情報が示す制御内容に含まれると判定されたとき、前記制御内容にしたがって外部電源から供給される電力を制御することを行わない、
ことを特徴とするアダプタ。
【発明の詳細な説明】
【技術分野】
【０００１】
本発明は、コンセントを具備し、外部の電源に接続されることによりコンセントに接続された機器に対して電力の供給をネットワークを介して制御するアダプタに関するものである。
【背景技術】
【０００２】
近年、宅内において、ネットワーク対応機能を搭載した機器が普及しつつある。
【０００３】
このホームネットワークの導入においては、各機器にネットワーク対応機能が求められるが、ホームネットワーク導入後も、宅内では、これまでのネットワーク非対応機器が存在する。これら全てのネットワーク未対応機器をネットワーク対応機器に買い換えるためには、多大な費用を要することになり、また、未だ使用できる機器を廃棄することは資源の無駄遣いにも繋がる。
【０００４】
そこで、ネットワーク非対応機器をネットワーク対応可能にし、ネットワークを介して外部から制御を行うために、電力を供給するコンセントとネットワーク非対応機器の電源プラグとの間にネットワークに対応したアダプタを挿入し、このアダプタを制御することにより、機器への給電を制御することが提案されている。
【０００５】
なお、以下の特許文献１には、ホームサーバによって電気機器に対する電力供給状態を検知し、切り換えることが可能なアダプタ及び電源管理システムが記載されている。
【特許文献１】特開２００２−４４８８２号公報
【発明の開示】
【発明が解決しようとする課題】
【０００６】
上記の従来技術によれば、遠隔からでも機器への給電を制御することができ、機器の電源オン／オフを切り換えることができる。
【０００７】
しかしながら、たとえば、発熱を伴う機器に対しては、状況を確認することなく遠隔からの電源オンの操作は安全面から禁止したい、といった要求がある。
【０００８】
そこで、本発明の課題は、本アダプタに装着された機器に対応して、制御内容を設定することができるアダプタを提供することである。
【課題を解決するための手段】
【０００９】
上記課題に鑑み、本発明はそれぞれ以下の特徴を有する。
【００１０】
請求項１の発明は、コンセントを具備し、外部電源に接続されることにより、前記コンセントに装着された電源プラグを介して、接続された機器に電力を供給するアダプタであって、前記機器への電力供給に対する制御指示を受信する受信手段と、前記コンセントに電源プラグが装着されたとき、前記機器に関する機器情報を取得する情報取得手段と、前記情報取得手段が取得した機器情報に基づいて、前記受信手段が受信した制御指示が示す制御内容が可能かを判定する判定部と、前記判定部の結果に基づいて、外部電源から供給される電力入力を制御する電力入力制御部を有することを特徴とする。
【００１１】
請求項２の発明は、請求項１に記載のアダプタであって、前記情報取得手段は、前記電源プラグに装着された識別タグから前記機器に関する機器情報を取得することを特徴とする。
【００１２】
請求項３の発明は、請求項１あるいは請求項２に記載のアダプタであって、前記機器情報は前記機器に対して実行可能な制御内容を示す情報を含み、前記電力入力制御部は、前記判定部によって、前記制御指示が示す制御内容が、前記機器情報が示す制御内容に含まれると判定されたとき、前記制御内容にしたがって外部電源から供給される電力を制御することを特徴とする。
【００１３】
請求項４の発明は、請求項３に記載のアダプタであって、前記制御指示が示す制御内容は、前記機器への電源オンを示す情報であり、前記電力入力制御部は、前記判定部によって、前記制御指示が示す制御内容が、前記機器情報が示す制御内容に含まれると判定されたとき、外部電源から供給される電力を前記機器に供給するよう制御することを特徴とする。
【００１４】
請求項５の発明は、請求項１あるいは請求項２に記載のアダプタであって、前記電力入力制御部は、前記判定部によって、前記制御指示が示す制御内容が、前記機器情報が示す制御内容に含まれないと判定されたとき、前記制御内容にしたがって外部電源から供給される電力を制御することを行わないことを特徴とする。
【００１５】
請求項６の発明は、請求項５に記載のアダプタであって、さらに情報を送信する送信手段を有し、前記送信手段は、前記判定部によって、前記制御指示が示す制御内容が、前記機器情報が示す制御内容に含まれないと判定されたとき、前記制御指示が示す制御が実行不可であることを示す情報を送信することを特徴とする。
【００１６】
請求項７の発明は、請求項１あるいは請求項２に記載のアダプタであって、前記機器情報は前記機器に対して実行を禁止する制御内容を示す情報を含み、前記電力入力制御部は、前記判定部によって、前記制御指示が示す制御内容が、前記機器情報が示す制御内容に含まれると判定されたとき、前記制御内容にしたがって外部電源から供給される電力を制御することを行わないことを特徴とする。
【００１７】
本発明の特徴ないしその技術的意義は、以下に示す実施の形態の説明により更に明らかとなろう。ただし、以下の実施の形態は、あくまでも、本発明の一つの実施形態であって、本発明ないし各構成要件の用語の意義等は、以下の実施の形態に記載されたものに制限されるものではない。
【発明の効果】
【００１８】
本発明によれば、ネットワーク機能を持たない機器に対して制御を行うことに加えて、識別タグを装着した機器から送信された制御内容を示す情報に基づき、ホームサーバ等を介してユーザから送信された機器への制御指示を識別し、実行可能な制御か判断するため、機器に対してユーザが不適切な制御を指示した場合でも、この制御を実行させないようにすることができる。
【００１９】
特に、発熱を伴う機器への電源オン／オフ制御に対して、遠隔からの制御を電源オフのみとすることにより、機器動作により生じうる危険性を低減することができる。
【発明を実施するための最良の形態】
【００２０】
本発明の実施の形態について、図を参照しながら以下に説明する。
【００２１】
図１は実施の形態に係るアダプタを使用したネットワークシステムの構成例である。
【００２２】
このネットワークシステムは、アダプタ１０、ネットワーク非対応機器２０、電源コンセント３０、ホームサーバ４０、宅内端末装置５０、宅外操作端末６０、識別タグ７０から構成されている。
【００２３】
アダプタ１０、ホームサーバ４０、宅内端末装置５０は、宅内のネットワークによって接続されている。この宅内ネットワークには、上記機器のほか、ネットワークに対応した各種機器が接続可能である。
【００２４】
アダプタ１０は、ネットワーク非対応機器２０とコンセント３０の間に挿入され、電源プラグ２０１を介してネットワーク非対応機器２０に入力される電力の通電オン・オフを制御する。
【００２５】
ネットワーク非対応機器２０は、ネットワーク機能を持たない、扇風機やこたつなどの電子機器であり、これらは宅内のネットワーク化以前に所有されていたものである。
【００２６】
電源コンセント３０は、機器の電源プラグ２０１を接続することによって、家庭用商用電源を供給する。
【００２７】
ホームサーバ４０は、宅内のネットワークに接続された機器を制御するサーバである。宅内では、宅内ネットワークを介して、アダプタ１０、宅内端末装置５０、ネットワーク対応機器と接続される。また、外部のネットワークを介して、宅外操作端末６０や他のサーバ等と接続される。
【００２８】
宅内端末装置５０は、ユーザが宅内で使用する端末装置であり、ネットワークに接続された機器を制御するための情報をホームサーバ４０に送信する。また、ネットワークに接続された機器あるいはホームサーバ４０から送信された情報を受信し、必要に応じて表示部に表示を行う。
【００２９】
宅外操作端末６０は、ユーザが宅外で使用する端末装置であり、宅内ネットワークに接続された機器を制御するための情報を、外部のネットワークを介して接続されたホームサーバ４０に送信する。また、外部のネットワークを介して接続されたホームサーバ４０から送信された情報を受信し、必要に応じて表示部に表示を行う。
【００３０】
この宅外操作端末６０は、外部のネットワークを介して宅内ネットワークにアクセスすることを除き、その機能および動作は宅内端末装置５０と同様である。
【００３１】
識別タグ７０は、ネットワーク非対応機器２０に装着され、この機器２０を識別するための情報と、この機器２０に対して可能な制御内容を示す制御情報を記憶する。機器２０がアダプタ１０に装着された際、機器２０に装着された識別タグ７０は、記憶するこれらの情報をアダプタ１０に送信する。
【００３２】
以下、図２を参照して、ホームサーバ４０、宅内端末装置５０について説明する。
【００３３】
図２は、図１に示すホームサーバ４０、宅内端末装置５０の本実施の形態に係る主要な構成を示すブロック図である。
【００３４】
ホームサーバ４０は、宅内のネットワークに接続された機器の状態を常に監視し、必要に応じて宅内端末装置５０や宅外操作端末６０（図示しない）に機器の状態を表示し、ユーザの操作を促す表示を行う。宅内端末装置５０や宅外操作端末６０（図示しない）からユーザの操作がなされると、この操作指示にもとづいて、各機器の動作を制御する。
【００３５】
図示の如く、ホームサーバ４０は、コントローラ４０１、情報受信部４０２、情報送信部４０３を備える。
【００３６】
コントローラ４０１は、本装置内の各構成を制御する。本実施の形態では、情報受信部４０２によって受信された情報や自身が管理する情報に基づき、アダプタ１０あるいはネットワークに接続された機器に送信する情報を処理し、これを情報送信部４０３に伝達する。
【００３７】
情報受信部４０２は、宅外のネットワークおよび宅内のネットワークに接続された機器から送信された情報を受信する。情報受信部４０２で受信された情報は、コントローラ４０１に伝達される。この情報受信部４０２で受信される情報は、アダプタ１０が制御する電源オン／オフに関する指示情報やネットワークを介して接続された機器の状態を示す情報等を含む。
【００３８】
情報送信部４０３は、コントローラ４０１から伝達された情報を宅外のネットワークおよび宅内のネットワークに接続された機器に送信する。また、アダプタ１０に対して、アダプタ１０が制御する電源オン／オフに関する情報を送信する。
【００３９】
宅内端末装置５０は、図示の如く、コントローラ５０１、表示部５０２、入力部５０３、情報送受信部５０４、機器情報記憶部５０５、機器情報送信部５０６を備える。
【００４０】
コントローラ５０１は、本装置内の各構成を制御する。本実施の形態では、情報送受信部５０４によって受信された情報、自身が管理する情報、入力部５０３からユーザによって入力された指示情報を処理する。前記情報に基づいて、宅内ネットワークに接続された機器を制御するための情報を生成し、これを含む各種情報を送信するため当該情報を制御情報送受信部５０４に伝達する。さらに、機器情報記憶部５０５に記憶された、機器制御に関する素情報を用いて、識別タグ７０に設定する機器情報を生成し、これを識別タグ７０に送信するよう機器情報送信部５０５に伝達する。この機器情報については、後述する。
【００４１】
表示部５０２は、      例えば、宅内ネットワークに接続された機器の状態の表示や、これらの機器への制御をユーザに促す表示など、各種情報を表示する。ユーザはこの表示部５０２に表示された情報を参照して、入力操作等を行う。
【００４２】
入力部５０３は、宅内ネットワークに接続された機器への制御指示など、ユーザの入力を処理する。入力された情報は、コントローラ５０１に伝達され処理される。
【００４３】
情報送受信部５０４は、宅内ネットワークに接続されたホームサーバ４０等から送信された情報を受信する。受信された情報は、コントローラ５０１に伝達され処理される。
また、情報送受信部５０４は、コントローラ５０１において処理された情報を宅内ネットワークに接続されたホームサーバ４０等に送信する。
【００４４】
この情報送受信部５０４で処理される情報は、機器２０を制御するための情報、本端末装置５０自身や本ネットワークシステムの状況を示す情報等を含む。
【００４５】
機器情報記憶部５０５は、機器２０に対応した制御内容を示す情報である素情報を記憶する。この素情報は、ユーザが識別タグ７０に対して制御内容を設定する際に用いられる。
【００４６】
機器情報送信部５０６は、コントローラ５０１から伝達された機器情報を識別タグ７０に送信する。
【００４７】
機器情報の識別タグ７０への送信については、例えば、ＩＣタグライターによるＩＣタグへの設定の方式を用いてもよい。
【００４８】
識別タグ７０は、図示の如く、コントローラ７０１、機器情報受信部７０２、機器情報送信部７０３、機器情報記憶部７０４を備える。
【００４９】
コントローラ７０１は、本装置内の各構成を制御する。本実施の形態では、機器情報受信部７０２によって受信された情報を処理し、これを機器情報記憶部７０４に伝達する。さらに、機器情報記憶部７０４に記憶された機器情報を、アダプタ１０に送信するよう機器情報送信部７０３に伝達する。
【００５０】
機器情報受信部７０２は、宅内端末装置５０等から送信された機器情報を受信する。受信された機器情報は、コントローラ７０１に伝達され処理される。
【００５１】
機器情報送信部７０３は、機器情報記憶部７０４に記憶された機器情報をアダプタ１０に送信する。
【００５２】
機器情報記憶部７０４は、コントローラ７０１から伝達された機器情報を記憶する。
【００５３】
情報受信部７０５は、アダプタ１０から送信された情報を受信する。本実施の形態では、アダプタ１０が識別タグ７０に対する機器情報の要求を示す情報を受信する。
【００５４】
図３は、図１に示すアダプタ１０の構成を示すブロック図である。
【００５５】
図３を参照して、アダプタ１０の構成について説明する。
【００５６】
図示の如く、アダプタ１０は、制御情報受信部１０１、電力入力部１０２、電力出力制御部１０３、コンセント１０４、機器情報受信部１０５、コントローラ１０６、機器情報記憶部１０７を備える。
【００５７】
制御情報受信部１０１は、ホームサーバ４０から送信される機器２０を制御するための指示情報を受信し、受信した情報をコントローラ１０６に伝達する。
【００５８】
電力入力部１０２は、電源コンセント３０から供給される電力を入力し、入力された電力を電力出力制御部に供給する。なお、当該アダプタ１０への電力供給もここから入力され、各部に給電する。
【００５９】
電力出力制御部１０３は、コントローラ１０６からの指示に従い、入力された電力の出力を制御し、コンセント１０４に電力を供給する。
【００６０】
コンセント１０４は、本アダプタ１０に取り付けられており、機器の電源プラグが接続されると、アダプタ１０に供給された電力を接続された電源プラグを介して機器に供給する。
【００６１】
機器情報受信部１０５は、識別タグ７０から送信される機器情報を受信する。
【００６２】
コントローラ１０６は、本装置内の各構成を制御する。本実施の形態では、機器情報受信部１０５によって受信された機器情報を、機器情報記憶部１０７に伝達する。また、機器情報記憶部１０７に記憶された機器情報を参照して、制御情報受信部１０１によって受信された制御情報に示された電源オン／オフ制御が、実行可能か否かを判断し、この判断の結果、電力出力制御部１０３に対する電力の出力制御を行う。
【００６３】
機器情報受信部１０６は、識別タグ７０から送信された機器情報を受信し、コントローラ１０６に伝達する。
【００６４】
機器情報記憶部１０７は、コントローラ１０６から伝達された機器情報を記憶する。
【００６５】
情報送信部１０８は、識別タグ７０が記憶している機器情報の要求を示す情報を識別タグ７０に送信する。
【００６６】
図４は、本実施の形態で使用される情報である。
【００６７】
図４(a)は、アダプタ１０に装着された機器２０に対する制御を指示する情報である。この制御情報は、ユーザが宅内端末装置５０等からの機器２０に対する制御指示に基づき生成され、ホームサーバ４０からアダプタ１０に送信される情報である。
【００６８】
この制御情報は、制御を指示した端末名、制御がなされる機器名、制御内容を含む。本例では、“コントローラ１”と識別される宅内端末装置５０から、扇風機に対する電源オンの制御を示す。
【００６９】
図４(b)は、宅内端末装置５０の機器情報記憶部５０５に記憶される機器情報群である。各機器情報は、機器種類とこの機器が実行可能な制御内容を示す。本例では、扇風機が実行可能な制御は、電源オンおよびオフであることを示す。また、ファンヒータおよびこたつが実行可能な制御は、電源オフであることを示す。
【００７０】
この機器情報記憶部５０５に記憶される機器情報群は、機器に装着する識別タグ７０に当該機器の機器情報を設定する際に参照される。
【００７１】
図４(c)は、識別タグ７０の機器情報記憶部７０４に記憶される機器情報である。各機器情報は、機器種類およびこの機器が実行可能な制御内容を示す。本例では、この識別タグは機器が扇風機であり、扇風機に対して実行可能な制御は、電源オンおよびオフであることを示す。
【００７２】
識別タグ７０の機器情報記憶部７０４に記憶された機器情報は、アダプタ１０から読み出されてアダプタ１０内の機器情報記憶部１０７に記憶される。
【００７３】
次に、上記構成の動作を説明する。
【００７４】
図５は、図２に示した識別タグ７０への機器情報の設定動作を概略的に示すフローチャートである。
【００７５】
機器に装着される識別タグ７０には、機器識別および機器制御に関する機器情報が設定される。この機器情報は、宅内端末装置５０を用いて、ユーザが操作することによって設定される。
【００７６】
まず、識別タグ７０への機器情報の設定が指示されると、宅内端末装置５０のコントローラ５０１は、あらかじめ機器情報記憶部５０５に記憶されている機器情報群を取得し（ｓ８００）、これらを表示部５０２に表示するなどして、ユーザに機器情報の設定を促す。ユーザは、表示部５０２になされた表示を参照しながら、制御を対象とする機器および制御内容を入力部５０３を介して選択する（ｓ８０２）。
【００７７】
例えば、ネットワーク非対応の機器２０を扇風機とする場合、識別タグ７０への設定は、まず、ユーザが表示部に５０２に表示された図４(b)の機器情報群、すなわち、扇風機、ファンヒータ、こたつに関する機器情報を参照して、機器の種類として“扇風機”、実行可能な制御として、“電源オン／オフ”を選択する。
【００７８】
コントローラ５０１は、この選択の結果に基づき、識別タグ７０に設定する機器情報、すなわち、この識別タグ７０が装着される機器の種類は“扇風機”であり、実行可能な制御は“電源オン／オフ”であること示す情報を生成し、生成した機器情報を機器情報送信部５０６に伝達する。機器情報送信部５０６は、伝達された機器情報を識別タグ７０に送信する（ｓ８０４）。
【００７９】
識別タグ７０では、機器情報受信部７０２が宅内端末装置５０から送信された機器情報を受信する。コントローラ７０１は、受信した機器情報を機器情報記憶部７０４に記憶する（ｓ８０８）。
【００８０】
図６は、図２に示した識別タグ７０からアダプタ１０への機器情報の送信動作を概略的に示すフローチャートである。
【００８１】
アダプタ１０のコンセント１０４に機器２０の電源プラグ２０１が装着されると、アダプタ１０では、コントローラ１０６が機器２０の電源プラグ２０１がコンセント１０４に装着されているか否かを検出する（ｓ８２０）。この検出は、図示していない接触型のスイッチなど、機械的な接続を検出することによって行うものであり、電源プラグ２０１をコンセント１０４に接続するとスイッチがオンし、また、電源プラグ２０１がコンセント１０４から抜かれると、スイッチオフ動作する構造である。ｓ８２０において機器２０の電源プラグ２０１がコンセント１０４に装着されていない場合、本処理を終了する。
【００８２】
一方、ｓ８２０において機器２０の電源プラグ２０１がコンセント１０４に装着されている場合、コントローラ１０６は、識別タグ７０の機器情報を要求する指示を情報送信部１０８に伝達する。情報送信部１０８は、識別タグ７０に対して機器情報の要求を送信する（ｓ８２２）。
【００８３】
識別タグ７０では、情報受信部７０５がアダプタ１０から送信された機器情報要求を受信する（ｓ８２４）。コントローラ７０１は、機器情報記憶部７０４から機器情報を取得し（ｓ８２６）、これを機器情報送信部７０３に伝達し、機器情報送信部７０３は取得した機器情報をアダプタ１０に送信する（ｓ８２８）。
【００８４】
アダプタ１０の機器情報受信部１０５は、識別タグ７０から送信された機器情報を受信し（ｓ８３０）、コントローラ１０６は、受信した機器情報を機器情報受信部に記憶する（ｓ８３２）。
【００８５】
図７は、図２に示した宅内端末装置５０から機器２０に対する制御を指示したときの動作を概略的に示すフローチャートである。
【００８６】
以下、本実施の形態では、制御の対象となる機器２０として“扇風機”、制御内容として“電源オン”を例に挙げ説明する。
【００８７】
ユーザが宅内端末装置５０の入力部より機器２０（扇風機）に対して、“電源オン”を指示すると（ｓ８４０）、コントローラ５０１がユーザの入力に基づいて、図４(a)に示す制御情報を生成（ｓ８４４）する。生成された制御情報は、“コントローラ１”と識別される宅内端末装置５０から扇風機に対する電源オンの制御を示している。この生成された制御情報は、制御情報送受信部５０４によってホームサーバ４０に送信される（ｓ８４６）。
【００８８】
ホームサーバ４０では、情報受信部が宅内端末装置５０から送信された制御情報を受信すると（ｓ８４８）、コントローラは、受信した制御情報をアダプタ１０へ送信するよう情報送信部に指示し、情報送信部はこの指示に基づき制御情報をアダプタ１０へ送信する（ｓ８５０）。
【００８９】
アダプタ１０では、制御情報受信部１０１がホームサーバ４０から送信された制御情報を受信すると（ｓ８５２）、コントローラ１０５は、機器情報記憶部１０７を参照して、受信した制御情報が示す機器が、制御情報が指示する制御内容を実行可能か、判断する（ｓ８５４）。具体的には、機器情報記憶部１０７に記憶されている制御情報が、扇風機が電源オンおよびオフの制御が可能であることを示すものであるから、受信した制御情報が実行可能であると判断する。
【００９０】
ｓ８５４における判断の結果、制御情報が示す制御が実行可能である場合（ｓ８５４Ｙｅｓ）、制御情報が示す制御を実行する。すなわち、電力出力制御部１０３に対して、コントローラ１０５は、電力入力部１０２を介して電源コンセント３０から供給される電力を、コンセント１０４を介して機器２０の電源プラグに供給するよう、制御する（ｓ８５６）。
【００９１】
一方、ｓ８５４において、制御情報が示す制御が実行可能でないと判断された場合（ｓ８５４Ｎｏ）の処理を、制御の対照である機器２０を“こたつ”とした場合を例に取り説明する。
【００９２】
ｓ８４０において、ユーザが機器２０（こたつ）に対して“電源オン”を指示すると、コントローラ５０１がユーザの入力に基づいて、“コントローラ１”と識別される宅内端末装置５０からこたつに対する電源オンの制御を示す制御情報が生成され、ホームサーバ４０に送信される。
【００９３】
ホームサーバ４０では、情報受信部が宅内端末装置５０から送信された制御情報を受信すると（ｓ８４８）、コントローラは、受信した制御情報をアダプタ１０へ送信するよう情報送信部に指示し、情報送信部はこの指示に基づき制御情報をアダプタ１０へ送信する（ｓ８５０）。
【００９４】
アダプタ１０では、制御情報受信部１０１がホームサーバ４０から送信された制御情報を受信すると（ｓ８５２）、コントローラ１０５は、機器情報記憶部１０７を参照して、受信した制御情報が示す機器が、制御情報が指示する制御内容を実行可能か、判断する（ｓ８５４）。
【００９５】
このとき機器情報記憶部１０７に記憶されている制御情報は、こたつの電源オンの制御が可能でないことを示すものであるから、受信した制御情報が実行不可能であると判断する。
【００９６】
このように、ｓ８５４において制御情報が示す制御が実行可能でないと判断された場合（ｓ８５４Ｎｏ）、コントローラ１０５は、制御が実行可能でない旨を示すエラー情報をホームサーバ４０に送信ことを情報送信部に指示し、情報送信部はこの指示に基づいてこのエラー情報をホームサーバ４０へ送信する（ｓ８５８）。
【００９７】
ホームサーバ４０では、情報受信部がアダプタ１０から送信されたエラー情報を受信し（ｓ８６０）、コントローラは、受信したエラー情報を処理し、これを宅内端末装置５０に送信するよう情報送信部に指示し、情報送信部はこの指示に基づいてこのエラー情報を宅内端末装置５０へ送信する（ｓ８５８）。
【００９８】
宅内端末装置５０では、情報送受信部５０４がエラー情報を受信し、コントローラは、受信したエラー情報に基づいてエラー発生を表示部に表示するなどして、ユーザに通知する（ｓ８６４）。
【００９９】
上記実施の形態によれば、機器２０の電源プラグ２０１に機器情報を含む識別タグ７０を取り付け、アダプタ１０がその識別タグより機器情報を取得することにより、アダプタ１０は接続された機器２０を識別することができる。
【０１００】
さらに、アダプタ１０が制御を実行する機器２０とその機器２０に対して実行可能な制御内容を保持することにより、アダプタ１０が、取得した機器２０の識別情報と保持した機器情報とを用いて、ユーザ等から指示された制御内容が実行可能か判断し、実行が許可される制御のみを実行することができる。
【０１０１】
以上、本発明に係る実施の形態について説明したが、本発明は、かかる実施の形態に限定されるものではなく、他に種々の変更が可能であることは言うまでもない。
【０１０２】
上記実施の形態では、機器情報として、当該機器に対して実行可能な制御内容を含むように構成したが、当該機器に対して実行を禁止する制御内容を含むように構成してもよい。
【０１０３】
また、上記実施の形態では、ネットワーク非対応機器に装着し、この機器を識別するための情報とこの機器２０に対して可能な制御内容を示す制御情報を記憶するものとして、ICタグのような識別タグ７０としたが、これと同一の構成および機能を備えた機器としてもよい。
【０１０４】
本発明の実施の形態は、特許請求の範囲に示された技術的刺創の範囲内において、適宜種々の変更が可能である。
【図面の簡単な説明】
【０１０５】
【図１】実施の形態に係るシステムの構成の一例を示す図である。
【図２】実施の形態に係るシステムの構成を示すブロック図である。
【図３】アダプタの構成を示す図である。
【図４】制御情報および機器情報を説明する図である。
【図５】識別タグへの機器情報の設定処理を概略的に示すフローチャーである。
【図６】アダプタの機器情報の取得処理を概略的に示すフローチャートである。
【図７】機器への制御指示から制御実行までの処理を概略的に示すフローチャートである。
【符号の説明】
【０１０６】
１０    アダプタ
２０    ネットワーク非対応機器
３０    電源コンセント
４０    ホームサーバ
５０    宅内端末装置
６０    宅外操作端末
７０    識別タグ
【図１】
2006074283.tif 000003
【図２】
2006074283.tif 000004
【図３】
2006074283.tif 000005
【図４】
2006074283.tif 000006
【図５】
2006074283.tif 000007
【図６】
2006074283.tif 000008
【図７】
2006074283.tif 000009